(57)【特許請求の範囲】
【請求項１】
基板に電子部品を実装して実装基板を生産する電子部品実装システムであって、
前記基板を上流側から下流側へ搬送する基板搬送路を有し、前記基板搬送路に沿って搬送される基板に対して電子部品実装用装置によって電子部品を実装するための部品実装用作業を行う部品実装ラインと、
前記電子部品実装用装置の上流側の基板搬送路において、前記基板の少なくとも一方側の面に予め形成された基板識別標識から当該基板を特定する基板識別情報を読み取る識別情報読み取り部と、
前記基板識別標識が形成されていない基板について代替識別情報を生成する代替識別情報生成部と、
前記代替識別情報と、前記代替識別情報に対応する基板への部品実装用作業に用いられた生産材を特定する生産材識別情報とを対応させた生産履歴情報を生成する生産履歴情報生成部と、
前記生産履歴情報を記憶する生産履歴情報記憶部とを備え、
前記基板識別標識が形成されている基板の前記識別情報は、当該基板の基板種を特定するための基板種コードと、その基板種におけるシリアル番号を含んで構成され、
前記基板識別標識が形成されていない基板の前記代替識別情報は、少なくとも前記部品実装ラインへ投入された時点における日付情報を意味する文字列を含んで構成されることを特徴とする電子部品実装システム。
【請求項２】
前記代替識別情報は生産対象となる基板の基板種を特定する前記基板種コードを含み、
予め生産情報として登録された基板種コードと、前記生成された代替識別情報に含まれる基板種コードとを比較し、両者が一致する場合にのみ当該基板の前記電子部品実装用装置への搬入を許可する搬送制御手段を備えたことを特徴とする請求項１記載の電子部品実装システム。
【請求項３】
基板に電子部品を実装して実装基板を生産する電子部品実装システムにおいて、前記基板の生産履歴情報を生成する電子部品実装システムにおける生産履歴情報生成方法であって、
前記電子部品実装システムは、前記基板を上流側から下流側へ搬送する基板搬送路を有し、前記基板搬送路に沿って搬送される基板に対して電子部品実装用装置によって電子部品を実装するための部品実装用作業を行う部品実装ラインを備え、
前記電子部品実装用装置の上流側の基板搬送路において、前記基板の少なくとも一方側の面に予め形成された基板識別標識から当該基板を特定する基板識別情報を読み取る識別情報読み取り工程と、
前記読み取られた基板識別情報と当該基板識別情報に対応する基板への部品実装用作業に用いられた生産材を特定する生産材識別情報とを対応させた生産履歴情報を生成する生産履歴情報生成工程と、
前記生産履歴情報を記憶する生産履歴情報記憶工程とを含み、
前記基板識別標識が形成されていない基板については代替識別情報を生成し、この代替識別情報を用いて前記生産履歴情報を生成し、
前記基板識別標識が形成されている基板の前記識別情報は、当該基板の基板種を特定するための基板種コードと、その基板種におけるシリアル番号を含んで構成され、
前記基板識別標識が形成されていない基板の前記代替識別情報は、少なくとも前記部品実装ラインへ投入された時点における日付情報を意味する文字列を含んで構成されることを特徴とする電子部品実装システムにおける生産履歴情報生成方法。
【発明の詳細な説明】
【技術分野】
【０００１】
本発明は、基板に電子部品を実装する電子部品実装システムおよび電子部品実装システムによって生産される基板の生産履歴情報を生成する電子部品実装システムにおける生産履歴情報生成方法に関するものである。
【背景技術】
【０００２】
近年製造業においては、製品の品質保証上の要請から個々の製品の生産履歴の遡及追跡を可能とするいわゆるトレーサビリティの確保が求められている。例えば電子機器製造分野において電子部品が実装された実装基板を製造する電子部品実装システムでは、後工程においてまたは製品出荷後に不具合が発見された場合にその原因を究明できるよう、工程を遡って不具合基板およびその基板に実装された部品類を特定することが求められている。このため電子部品実装システムにおいては、基板種や製造ロット番号、製造日付などを示す基板識別情報が、バーコードなどを用いて予め書き込まれたラベルを各基板に貼り付けることにより、個々の基板を識別・特定する方法が一般に用いられている（例えば特許文献１、２参照）。
【０００３】
特許文献１に示す先行技術例では、実装装置に搬入される基板に対して実装装置が備えたラベル貼り付けヘッドによって識別用のＩＤラベルを貼り付ける構成が記載されている。また特許文献２に示す先行技術例では、一枚に複数のＩＤマークが設けられた基板を対象とする場合において、基板を移動・停止させながら複数のＩＤマークを１台のＩＤ認識カメラによって順次読み取る例が記載されている。このようにして求められた基板識別情報と、各基板に使用された部品類を特定する識別情報とをリンクさせて記録することにより、個々の基板が生産された生産履歴情報を取得することができる。
【先行技術文献】
【特許文献】
【０００４】
【特許文献１】特開２００６−２２２２５５号公報
【特許文献２】特開２００４−２３５４７９号公報
【発明の概要】
【発明が解決しようとする課題】
【０００５】
しかしながら上述の特許文献例を含め、従来技術においては基板の識別・特定方法に起因して、以下に述べるような難点があった。すなわち、従来技術では、基板の識別・特定には、予め基板にバーコードラベルなどによって基板識別情報が付与されていることが前提とされていた。ところが実際に生産対象となる基板の全てについてこのように基板識別情報が予め付与されているとは限らず、上述のように基板識別情報を読み取って生産履歴情報を取得するトレーサビリティ機能を有する電子部品実装システムによって、基板識別情報が付与されていない基板を対象として部品実装作業を実行する場合がある。このような場合には基板を特定する基板識別情報が存在しないことから正常な生産履歴情報を取得することができず、これら基板を使用した製品については、必要なトレーサビリティが確保されずに品質管理面での課題とされていた。
【０００６】
そこで本発明は、基板識別情報が付与されていない基板を対象として部品実装作業を実行する場合にあっても、適正な生産履歴情報を取得可能で必要なトレーサビリティを確保することができる電子部品実装システムおよび電子部品実装システムにおける生産履歴情報の生成方法を提供することを目的とする。
【課題を解決するための手段】
【０００７】
本発明の電子部品実装システムは、基板に電子部品を実装して実装基板を生産する電子部品実装システムであって、前記基板を上流側から下流側へ搬送する基板搬送路を有し、前記基板搬送路に沿って搬送される基板に対して電子部品実装用装置によって電子部品を実装するための部品実装用作業を行う部品実装ラインと、前記電子部品実装用装置の上流側の基板搬送路において、前記基板の少なくとも一方側の面に予め形成された基板識別標識から当該基板を特定する基板識別情報を読み取る識別情報読み取り部と、前記基板識別標識が形成されていない基板について代替識別情報を生成する代替識別情報生成部と、前記代替識別情報と、前記代替識別情報に対応する基板への部品実装用作業に用いられた生産材を特定する生産材識別情報とを対応させた生産履歴情報を生成する生産履歴情報生成部と、前記生産履歴情報を記憶する生産履歴情報記憶部とを備え、前記基板識別標識が形成されている基板の前記識別情報は、当該基板の基板種を特定するための基板種コードと、その基板種におけるシリアル番号を含んで構成され、前記基板識別標識が形成されていない基板の前記代替識別情報は、少なくとも前記部品実装ラインへ投入された時点における日付情報を意味する文字列を含んで構成される。
【０００８】
本発明の電子部品実装システムにおける生産履歴情報の生産方法は、基板に電子部品を実装して実装基板を生産する電子部品実装システムにおいて、前記基板の生産履歴情報を生成する電子部品実装システムにおける生産履歴情報生成方法であって、前記電子部品実装システムは、前記基板を上流側から下流側へ搬送する基板搬送路を有し、前記基板搬送路に沿って搬送される基板に対して電子部品実装用装置によって電子部品を実装するための部品実装用作業を行う部品実装ラインを備え、前記電子部品実装用装置の上流側の基板搬送路において、前記基板の少なくとも一方側の面に予め形成された基板識別標識から当該基板を特定する基板識別情報を読み取る識別情報読み取り工程と、前記読み取られた基板識別情報と当該基板識別情報に対応する基板への部品実装用作業に用いられた生産材を特定する生産材識別情報とを対応させた生産履歴情報を生成する生産履歴情報生成工程と、前記生産履歴情報を記憶する生産履歴情報記憶工程とを含み、前記基板識別標識が形成されていない基板については代替識別情報を生成し、この代替識別情報を用いて前記生産履歴情報を生成し、前記基板識別標識が形成されている基板の前記識別情報は、当該基板の基板種を特定するための基板種コードと、その基板種におけるシリアル番号を含んで構成され、前記基板識別標識が形成されていない基板の前記代替識別情報は、少なくとも前記部品実装ラインへ投入された時点における日付情報を意味する文字列を含んで構成される。
【発明の効果】
【０００９】
本発明によれば、基板に予め形成された基板識別標識から当該基板を特定する基板識別情報を読み取る識別情報読み取り部と、前記基板識別標識が形成されていない基板について代替識別情報を生成する代替識別情報生成部と、前記代替識別情報と前記代替識別情報に対応する基板への部品実装用作業に用いられた生産材を特定する生産材識別情報とを対応させた生産履歴情報を生成する生産履歴情報生成部とを備えた構成とすることにより、基板識別情報が付与されていない基板を対象として部品実装作業を実行する場合にあっても適正な生産履歴情報を取得可能で、必要なトレーサビリティを確保することができる。
【図面の簡単な説明】
【００１０】
【図１】本発明の一実施の形態の電子部品実装システムの構成説明図
【図２】本発明の一実施の形態の電子部品実装システムに用いられる基板受渡し装置の機能説明図
【図３】本発明の一実施の形態の電子部品実装システムにおける基板受渡し装置および上位システムの制御系の構成を示すブロック図
【図４】本発明の一実施の形態の電子部品実装システムにおいて用いられるトレーサビリティ用ＩＤコードの説明図
【図５】本発明の一実施の形態の電子部品実装システムに用いられる基板受渡し装置における基板ＩＤ読み取り処理を示すフロー図
【図６】本発明の一実施の形態の電子部品実装システムの上位システムによって実行される基板ＩＤ変換処理を示すフロー図
【発明を実施するための形態】
【００１１】
次に本発明の実施の形態を図面を参照して説明する。まず図１を参照して、電子部品実装システム１の構成を説明する。電子部品実装システム１は基板に電子部品を実装して実装基板を生産する機能を有しており、実装対象の基板をそれぞれ供給・受渡し・回収する機能を有する基板供給装置Ｍ１、基板受渡装置Ｍ２と、基板回収装置Ｍ７との間に、複数の電子部品実装用装置である半田印刷装置Ｍ３、第１部品搭載装置Ｍ４、第２部品搭載装置Ｍ５およびリフロー装置Ｍ６を直列に連結して構成された部品実装ライン１ａを主体としている。
【００１２】
基板供給装置Ｍ１〜基板回収装置Ｍ７の各装置は通信ネットワーク２を介して管理コンピュータを有する上位システム３に接続されている。部品実装ライン１ａの各装置が備えた基板搬送機構は直列に連結されて同一のパスラインＰＬを有する基板搬送路を形成する。部品実装作業においては、この基板搬送路に沿って搬送される基板６（図２参照）に対して、半田印刷装置Ｍ３、第１部品搭載装置Ｍ４、第２部品搭載装置Ｍ５およびリフロー装置Ｍ６によって電子部品を実装するための部品実装用作業が行われる。
【００１３】
すなわち、基板供給装置Ｍ１によって供給された基板６は基板受渡装置Ｍ２を介して半田印刷装置Ｍ３に搬入され、ここで基板６に部品接合用の半田をスクリーン印刷する半田印刷作業が行われる。スクリーン印刷後の基板６は第１部品搭載装置Ｍ４、第２部品搭載装置Ｍ５に順次受け渡され、ここで半田印刷後の基板６に対して電子部品を搭載する部品搭載作業が実行される。そして部品搭載後の基板６はリフロー装置Ｍ６に搬入され、ここで所定の加熱プロファイルにしたがって加熱されることにより部品接合用の半田が溶融固化する。これにより電子部品が基板６に半田接合されて基板６に電子部品を実装した実装基板が完成し、基板回収装置Ｍ７に回収される。
【００１４】
次に図２を参照して、基板受渡装置Ｍ２に備えられた基板識別機能について説明する。基板受渡装置Ｍ２は基板供給装置Ｍ１から供給された未作業の基板６を基板搬送路４によって下流側（矢印ａ）へ搬送して、半田印刷装置Ｍ３に受け渡す機能を有している。基板搬送路４はプーリ５ｂに調帯されたコンベアベルト５ａによって基板６を搬送するコンベア機構５を備えている。また基板受渡装置Ｍ２は、基板検出部７および上下対向した位置に１対で配設された表面用のバーコードリーダ８Ｒ、裏面用のバーコードリーダ８Ｆを備えている。基板検出部７はコンベアベルト５ａによって搬送された基板６を検出し、バーコードリーダ８Ｒ、８Ｆは、基板６の表面、裏面に予め形成された基板識別標識であるバーコードをそれぞれ読み取る。
【００１５】
基板検出部７による基板６の検出結果およびバーコードリーダ８Ｒ、８Ｆによるバーコードの読み取り結果は制御部９に伝達され、これにより当該基板６を特定する基板識別情報であるバーコードデータが読み取られる。したがって、バーコードリーダ８Ｒ、８Ｆは、電子部品実装用装置である半田印刷装置Ｍ３の上流側の基板搬送路において、基板６の少なくとも一方側の面に予め形成された基板識別標識から当該基板を特定する基板識別情報を読み取る識別情報読み取り部となっている。
【００１６】
本実施の形態においては、バーコードが表面に形成されている基板６、裏面に形成されている基板６のみならず、バーコードがいずれの面にも形成されていない基板６をも対象として生産履歴情報を生成するようにしていることから、基板受渡装置Ｍ２におけるバーコード読み取りにおいて、予め準備された複数の読み取りモードを選択することが可能となっている。これらの読み取りモードとして、ここではバーコードがいずれの面にも形成されていないことが予め判っているバーコード無し基板を対象として、バーコードの読み取り動作を行わない「パスモード」、バーコードがいずれかの面に形成されていることが予め判っているバーコード有り基板を対象として表裏両面を順次読み取る「スキャンモード」、バーコードの有無が予め判明していない基板を対象とする「ミックスモード」の３種類の読み取りモードが準備されて記憶されている。
【００１７】
次に図３を参照して、基板受渡装置Ｍ２および上位システム３の制御系の構成を説明する。なお、ここでは基板受渡装置Ｍ２および上位システム３が有する制御機能のうち、生産履歴情報を取得する機能に関する要素のみを示している。基板受渡装置Ｍ２は、切替スイッチ１０、基板検出部７、コンベア駆動部１１、バーコードリーダ８Ｒ、バーコードリーダ８Ｆを備えており、これら各要素は制御部９に接続されて、制御部９との間で制御信号や各種信号の授受を行う。
【００１８】
切替スイッチ１０は、制御部９に記憶された前述の読み取りモードを選択して設定する際の切替入力を行う。基板検出部７はコンベア機構５によって基板６が搬送されて読み取り位置に到着したことを検出する。コンベア駆動部１１は、制御部９によって制御されてコンベア機構５を駆動し、基板検出部７によって基板６が検出されたならば、コンベア機構５を停止させて基板６をバーコードリーダ８Ｒ、８Ｆによる読み取り位置に位置させる。バーコードリーダ８Ｒ、８Ｆは、読み取り位置に停止した基板６の所定位置に形成されたバーコードを読み取り、読み取り結果を制御部９に伝達する。そして制御部９は、これらのバーコード読み取り結果を上位システム３に対して送信する。
【００１９】
上位システム３は、基板ＩＤ変換部１２、照合部１３、データ伝達部１４、データ収集部１５、操作・入力部１６、識別コード設定部１７、生産情報記憶部１８、トレーサビリティデータ記憶部１９を備えている。基板ＩＤ変換部１２は基板受渡装置Ｍ２において読み取られて上位システム３に送信されたバーコードの読み取り結果を受信し、これらの読み取り結果に基づいて、生産履歴情報として記憶されるトレーサビリティ用の基板ＩＤを生成して出力する。これらのトレーサビリティ用の基板ＩＤについて、図４を参照して説明する。
【００２０】
図４（ａ）に示す基板ＩＤ２０Ａは、バーコードが予め形成された基板６を対象とする基板ＩＤであり、機種コード２２ａ、シリアル番号２２ｂより成るバーコードデータ２２の先頭に、バーコードリーダ８Ｒ、８Ｆのいずれ（ここではバーコードリーダ８Ｒ）によって読み取られたバーコードであるのかを示す表裏識別コード２１を付加した構成となっている。ここで機種コード２２ａは、当該基板の機種を特定するためのコードであり、シリアル番号２２ｂはその機種における固有の一連番号を示すものである。
【００２１】
図４（ｂ）に示す基板ＩＤ２０Ｂは、バーコードが予め形成されていない基板６を対象として生成された基板ＩＤの例を示している。この場合にはバーコードデータ２２に基づく情報が存在しないため、基板ＩＤ変換部１２はバーコードデータ２２以外の何らかの代替情報に基づいて個々の基板６を特定しなければならない。ここでは基板ＩＤ２０Ｂとして、年月日データ２３ａ、時刻データ２３ｂを示す文字列より構成されるタイミングデータ２３を用いている。もちろん、タイミングデータ２３に替えて、当該基板が生産された工場や生産ラインを特定するためのコードを付加するようにしてもよい。
【００２２】
なお図４（ｂ）に示す基板ＩＤ２０Ｂにおいては、年月日データ２３ａ、時刻データ２３ｂより成るタイミングデータ２３をそのまま代替識別情報として用いる例を示しているが、代替識別情報の構成はトレーサビリティの観点から要請される個々の基板６の特定精度に応じて、適宜設定することができる。例えば、生産された時期や場所を大まかに特定すれば事足りるような場合には厳密な日付情報は必要なく、時期情報として単に週のみを特定する番号や文字を用いてもよい。
【００２３】
また代替識別情報に日付情報を含ませる場合においても、年月日データ２３ａに示すｙｙｍｍｄｄ形式の他、特定の年、月、日をそれぞれ異なるアルファベットに対応させて、年、月、日をこれらのアルファベットで置き換えて日付情報を意味する文字列とすることもできる。例えば、年、月を、２０１２年⇒Ａ、２０１３年⇒Ｂ、１月⇒ａ，２月⇒ｂ・・・のようにアルファベットに対応させて日付情報を置き換えると、２０１２年４月２３日⇒Ａｄ２３となり、代替識別情報の文字数を節約してデータ処理を簡略化することができる。
【００２４】
すなわち本実施の形態においては、少なくとも部品実装ライン１ａへ投入された時点における日付情報を意味する文字列を含んで構成される基板ＩＤ２０Ｂを生成し、基板ＩＤ２０Ａの代替識別情報として出力する。そして現物の基板６には、基板ＩＤ２０Ｂの内容を示すマークがスタンプなどの印字手段によって印加される。ここで「部品実装ラインへ投入された時点」とは、「パスモード」においてはコンベア機構５で基板６が検出されたタイミング、「ミックスモード」においてはバーコードの読み取りに失敗したタイミングと定義している。
【００２５】
なお「部品実装ラインへ投入された時点」の定義は任意であり、個々の基板６毎に固有のタイミングデータ２３を確実に対応させることが可能な動作イベント、タイミングであればよい。上記構成において、基板ＩＤ変換部１２は、基板識別標識であるバーコードが形成されていない基板６について、少なくとも部品実装ライン１ａへ投入された時点における日付情報を意味する文字列を含んで構成され基板識別情報としての基板ＩＤ２０Ａの代替情報として用いられる代替識別情報としての基板ＩＤ２０Ｂを生成する代替識別情報生成部として機能している。
【００２６】
照合部１３は、受信したバーコード読み取り結果を、生産情報記憶部１８に記憶された生産情報、すなわち生産計画において現在生産中であるべき基板６についての機種コードなどのデータと比較照合する。この照合結果により、読み取り対象となった基板６が生産計画に合致していると判定された場合には、基板受渡装置Ｍ２に対して下流側装置への基板搬送許可信号が出力される。
【００２７】
したがって照合部１３は、本実施の形態に示す例のように基板ＩＤ２０Ａ、基板ＩＤ２０Ｂが生産対象となる基板６の基板種を特定する基板種コード（機種コード）を含み、予め生産情報として登録された基板種コードと読み取られた基板ＩＤ２０Ａもしくは生成された基板ＩＤ２０Ｂに含まれる基板種コードとを比較し、両者が一致する場合にのみ当該基板６の電子部品実装用装置である基板受渡装置Ｍ２への搬入を許可する搬送制御手段となっている。
【００２８】
データ伝達部１４は、基板ＩＤ変換部１２によって生成された基板ＩＤ２０Ａ、基板ＩＤ２０Ｂを、基板受渡装置Ｍ２以下の下流側装置に伝達する。データ収集部１５は、基板ＩＤ２０Ａ、基板ＩＤ２０Ｂに含まれる基板の機種コードとリンクされて設計情報として与えられる実装データによって特定される電子部品の部品ＩＤや、半田印刷に用いられる半田ペーストのロット番号など、基板６への部品実装用作業に用いられた生産材を特定する生産材識別情報を、上位システム３または第１部品搭載装置Ｍ４、第２部品搭載装置Ｍ５の記憶装置に記憶された実装データから収集し、所定目的にしたがって編集する。
【００２９】
すなわち収集された生産材識別情報を、基板ＩＤ２０Ａ、基板ＩＤ２０Ｂとリンクさせることにより、当該基板６に電子部品を実装して生産された実装基板についての生産履歴情報が生成される。したがってデータ収集部１５は、読み取られた基板識別情報としての基板ＩＤ２０Ａもしくは生成された代替識別情報としての基板ＩＤ２０Ｂ、当該基板ＩＤ２０Ａ、２０Ｂに対応する基板６への部品実装用作業に用いられた電子部品などの生産材を特定する生産材識別情報とを対応させた生産履歴情報を生成する生産履歴情報生成部として機能する。
【００３０】
操作・入力部１６はキーボードや表示パネルに組み込まれたタッチスイッチであり、電子部品実装システム１への操作指令やデータ入力を行う。識別コード設定部１７は、バーコードなどの識別情報によって予め機種を特定する情報が付与されていない基板６を対象として、基板種を識別するための機種コード（基板ＩＤ２０Ａにおける機種コード２２ａに相当）を、操作・入力部１６を介して手動入力により設定する処理を行う。
【００３１】
生産情報記憶部１８は、生産計画において当該部品実装ライン１ａで作業対象と規定されている基板６についての機種コードなどのデータを記憶する。トレーサビリティデータ記憶部１９は生産履歴情報を記憶する生産履歴情報記憶部であり、データ収集部１５によって生成された生産履歴情報、すなわち作業対象の基板６を特定する基板ＩＤと当該基板６に実際に印刷された半田ペーストのロット番号や基板６に実装された部品ＩＤとを対応させたトレーサビリティーデータを、個々の基板毎に記憶する。
【００３２】
次に図５、図６を参照して、電子部品実装システム１において基板６の生産履歴情報を生成する電子部品実装システムにおける生産履歴情報生成方法について説明する。図５は、基板供給装置Ｍ１から供給された基板６が基板受渡装置Ｍ２内をコンベア機構５によって下流側に搬送される過程において、基板検出部７によって基板６が検出される基板検出（ＳＴ１）以降に、基板受渡装置Ｍ２によって実行される処理を示している。
【００３３】
まず、基板６が検出されたならば、設定モードの確認が行われる（ＳＴ２）。すなわち、予め準備された「パスモード」、「スキャンモード」および「ミックスモード」の３つの読み取りモードから、上位システム３にて切替スイッチ１０を操作することにより当該生産作業の対象となっている基板種に応じて選択された読み取りモードが、既設定の設定モードとして制御部９に記憶されている。（ＳＴ２）では、「パスモード」、「スキャンモード」および「ミックスモード」のいずれが設定モードであるかが確認される。
【００３４】
ここで「パスモード」が設定モードである場合には、バーコード読み取り動作をパスし、当該基板６にはバーコードが存在しない旨を示すサインとして、任意に設定された所定の文字列（ここでは“１０９９９９９９９９９”）を上位システム３に対して送信する。また「スキャンモード」、「ミックスモード」のいずれかが設定モードである場合には、いずれの場合もまずバーコードリーダ８Ｒによって基板６の表面のバーコードの読み取りを行う（ＳＴ３）、（ＳＴ４）。そしてバーコード読み取りに成功したならば、読み取り結果を示す文字列、すなわち表面であることを示す“Ｒ”＋バーコードデータより成る基板ＩＤ２０Ａ（図４（ａ）参照）を、上位システム３に対して送信する（ＳＴ５）。
【００３５】
また（ＳＴ３）、（ＳＴ４）において、バーコード読み取りに失敗した場合には、バーコードリーダ８Ｆによって基板６の裏面のバーコードの読み取りに移行する（ＳＴ６）、（ＳＴ７）。  そしてバーコード読み取りに成功したならば、読み取り取り結果を示す文字列、すなわち裏面であることを示す“Ｆ”＋バーコードデータより成る基板ＩＤ２０Ａを送信する（ＳＴ８）。そして「スキャンモード」にて裏面のバーコードを読み取る（ＳＴ６）において読み取りに失敗した場合には、読み取りエラーを報知する（ＳＴ９）。すなわち、バーコードが検出されるべきであるにも拘わらず、検出されない状況である旨を報知する。また「ミックスモード」にて裏面のバーコードを読み取る（ＳＴ７）において、読み取りに失敗した場合には、「パスモード」が設定モードである場合と同様に、当該基板６にはバーコードが存在しない旨を示すサインとして、所定の文字列（“１０９９９９９９９９９”）を上位システム３に対して送信する。
【００３６】
上記フローにおいて、（ＳＴ３）、（ＳＴ６）および（ＳＴ４）、（ＳＴ７）は、電子部品実装用装置としての半田印刷装置Ｍ３〜リフロー装置Ｍ６の上流側の基板受渡装置Ｍ２の基板搬送路において、基板６の少なくとも一方側の面に予め形成されたバーコード（基板識別標識）から当該基板を特定するバーコードデータ（基板識別情報）を読み取る識別情報読み取り工程に相当する。  次に、上位システム３が基板受渡装置Ｍ２からバーコードの読み取り結果を受信した後に、基板ＩＤ変換部１２によって実行される処理について、図６を参照して説明する。
【００３７】
まず基板受渡装置Ｍ２から送信されたバーコードデータを、基板ＩＤ変換部１２が受信する（ＳＴ１１）。次いで受信したデータが、予め設定された文字列“１０９９９９９９９９９”であるか否かを判断する（ＳＴ１２）。ここでＹＥＳであれば、対象となった基板６には識別用のバーコードが形成されていないと判断して、日付データを含む文字列をトレーサビリティ用の基板ＩＤとして使用する（ＳＴ１３）。すなわち、図４（ｂ）に示す基板ＩＤ２０Ｂを、基板ＩＤとして照合部１３、データ伝達部１４、データ収集部１５に対して出力するとともに、現物の基板６には基板ＩＤ２０Ｂの内容を示すマークがスタンプなどの印字手段によって印加される。
【００３８】
また（ＳＴ１２）においてＮＯであれば、対象となった基板６において識別用のバーコードが検出されており、バーコードデータまたはこれを含む文字列をトレーサビリティ用の基板ＩＤとして使用する（ＳＴ１４）。すなわち、図４（ａ）に示す基板ＩＤ２０Ａを基板ＩＤとして照合部１３、データ伝達部１４、データ収集部１５に対して出力する。
【００３９】
この後、データ収集部１５によって基板ＩＤ２０Ａ、２０Ｂと、これら基板ＩＤに対応する基板６への部品実装用作業に用いられた半田ペーストや電子部品などの生産材を特定する生産材識別情報とを対応させた生産履歴情報が生成され、トレーサビリティデータとしてトレーサビリティデータ記憶部１９に記憶される。
【００４０】
すなわち、上述処理は、読み取られたバーコードデータ（基板識別情報）と当該基板識別情報に対応する基板６への部品実装用作業に用いられた生産材を特定する生産材識別情報とを対応させた生産履歴情報を生成する生産履歴情報生成工程と、生成された生産履歴情報を記憶する生産履歴情報記憶工程とに相当する。そしてこの生産履歴情報生成工程において、バーコード（基板識別標識）が形成されていない基板６については、少なくとも部品実装ライン１ａへ投入された時点における日付情報を含んで構成されバーコードデータ（基板識別情報）の代替情報として用いられるタイミングデータ２３（代替識別情報）を生成し、この代替識別情報を用いて生産履歴情報を生成するようにしている。
【００４１】
このように、部品実装ライン１ａを有する電子部品実装システム１における生産履歴情報の生成において、上述構成を採用することにより、予め基板６にバーコードラベルなどによって基板識別情報が付与されていない基板６を対象として部品実装作業を実行する場合にあっても、適正な生産履歴情報を取得可能で必要なトレーサビリティを確保することができる。
【００４２】
なお、本実施の形態においては、基板供給装置Ｍ１によって供給された基板６を下流側に受け渡す基板受渡装置Ｍ２に、基板識別情報を読み取る識別情報読み取り部を設けた構成例を示したが、識別情報読み取り部の配設位置はこれに限定されず、必要とされる生産履歴情報の対象に応じて他の装置に識別情報読み取り部を設けてもよい。例えば、部品搭載動作のみを生産履歴情報の対象とする場合には、第１部品搭載装置Ｍ４の上流側の基板搬送路に識別情報読み取り部を設けるようにしてもよい。
【００４３】
また、本実施の形態では、基板受渡装置Ｍ２の備える読み取りモードとして、「パスモード」、「スキャンモード」および「ミックスモード」の３つの読み取りモードが設定可能になっているが、「パスモード」と「スキャンモード」の二つの読み取りモードのみ設定可能な構成でもよい。
【産業上の利用可能性】
【００４４】
本発明の電子部品実装システムおよび電子部品実装システムにおける生産履歴情報生成方法は、ＩＤ情報が付与されていない基板を対象として部品実装作業を実行する場合にあっても、適正な生産履歴情報を取得可能で必要なトレーサビリティを確保することができるという効果を有し、基板に電子部品を実装することにより実装基板を製造する電子部品実装分野に有用である。
【符号の説明】
【００４５】
１  電子部品実装システム
１ａ  部品実装ライン
２  通信ネットワーク
４  基板搬送路
５  コンベア機構
６  基板
７  基板検出部
８Ｒ，８Ｆ  バーコードリーダ
２０Ａ、２０Ｂ  基板ＩＤ
２２  バーコードデータ
２２ａ  機種コード
２２ｂ  シリアル番号
２３  タイミングデータ
２３ａ  年月日データ
２３ｂ  時刻データ
Ｍ１  基板供給装置
Ｍ２  基板受渡装置
Ｍ３  半田印刷装置
Ｍ４  第１部品搭載装置
Ｍ５  第２部品搭載装置
Ｍ６  リフロー装置
Ｍ７  基板回収装置
【図１】
0005903583.tif 000002
【図２】
0005903583.tif 000003
【図３】
0005903583.tif 000004
【図４】
0005903583.tif 000005
【図５】
0005903583.tif 000006
【図６】
0005903583.tif 000007